(57)【特許請求の範囲】
【請求項１】
ケース本体の外箱と内箱との間に画成した冷気循環ダクトを通じてケース本体の前面開口部に冷気エアカーテンを吹出形成する冷気循環式のオープンショーケースにおいて、前記開口部に向けてケース本体の上部前縁に開口したエアカーテン吹出口の内部にその長手方向に沿って吹出口を内外に区分する仕切板を敷設し、かつ該仕切板を境にその外側にハニカム整流体を組み込み、仕切板の内側には内箱の天井パネル前面壁との間に冷気を高速で吹き出すスリットを形成するとともに、仕切板の上端側に、冷気循環ダクトを通じてエアカーテン吹出口に流入する冷気流をハニカム整流体とスリットに配分するように冷気循環ダクト内の上流側に向けて突き出す風向ガイドを設けたことを特徴とするオープンショーケース。
【請求項２】
請求項１記載のオープンショーケースにおいて、仕切板の下端部をスリットの開口端面に向けてＬ字形に折り曲げ形成するとともに、この折り曲げ部の板面にその長手方向に沿って均等に格子状の吹出し穴を開口したことを特徴とするオープンショーケース。
【請求項３】
請求項１記載のオープンショーケースにおいて、仕切る仕切板の先端をハニカム整流体の下端からさらにエアカーテン吹出し方向に延長したことを特徴とするオープンショーケース。
【発明の詳細な説明】
【０００１】
【発明の属する技術分野】
この発明は、冷気循環式のオープンショーケース、特にそのエアカーテン吹出口の構造に関する。
【０００２】
【従来の技術】
まず、図３に頭記した冷気循環式のオープンショーケースとして、二層エアカーテン方式の多段形オープンショーケースの従来構成を示す。図において、１はオープンショーケースのケース本体であり、前面を開放した外箱（断熱筐体）１ａと内箱１ｂとの間には、内箱１ｂの外周を取り囲んで内外二重の冷気循環通風路を形成するようにインナーダクト２，およびアウターダクト３が画成されており、かつインナーダクト２，およびアウターダクト３に連ねてケース本体１の前面開口部の上部側にはエアカーテン吹出口２ａ，３ａが、下部側にはエアカーテン吸込口２ｂ，３ａが開口している。また、インナーダクト３には冷却器（冷凍機のエバポレータ）４，およびインナーファン５が、またアウターダクト３にはアウターファン６が配備されており、さらにエアカーテン吹出口２ａ，３ａにはそれぞれハニカム整流体７が組み込まれている。なお、８は上下段に並べて庫内に配置した商品陳列棚である。
【０００３】
かかる構成になるオープンショーケースの保冷運転時には、インナーダクト２，アウターダクト３に冷気が循環送風され、エアカーテン吹出口２ａ，３ａのハニカム整流体７を通じてケース本体１の前面開口部に内外二層の冷気エアカーテンＡ，Ｂを吹出形成し、庫内の商品陳列棚８に陳列した商品を保冷する。
一方、前記した冷気循環式のオープンショーケースに対し、そのケース本体１の前面開口部に熱遮へい性能の高いエアカーテンを吹出し形成するための手段として、インナーエアカーテン吹出口２ａに組み込んだハニカム整流体８の内側にスリットを形成し、エアカーテン吹出口２ａを通じて吹き出すインナーエアカーテンの風速分布を庫内に近い内側領域で高速，外側領域で低速となるようにし、庫内／庫外間の圧力差によりエアカーテンが庫内側に湾曲するドラフト効果に起因して引き起こされるエアカーテンの乱れを抑えるようにしたオープンショーケースが、この発明と同一出願人より特開平８−３２０１７６号として既に提案されている。
【０００４】
【発明が解決しようとする課題】
前記提案になるエアカーテン吹出口の構造は、性能試験結果からも初期の目的が一応達成されることが確認されているものの、その構造を実際にオープンショーケースに採用して製品化するには、その組立構造、スリットを通じて吹き出す冷気の風量，風速を最適化するための調整手段などの面での具体的な対応策が必要となる。
【０００５】
そこで、この発明の課題は、先記提案になるエアカーテン吹出口の構造を採用するに当たって、そのスリット，ハニカム整流体を通じて吹き出す冷気風量，風速の最適化，並びに長手方向に沿った風速分布の均一化，および整流性の向上が図れるようにエアカーテン吹出口の構造を改良したオープンショーケースを提供することを目的とする。
【０００６】
【課題を解決するための手段】
上記目的を達成するために、この発明によれば、ケース本体の外箱と内箱との間に画成した冷気循環ダクトを通じてケース本体の前面開口部に冷気エアカーテンを吹出形成する冷気循環式のオープンショーケースにおいて、前記開口部に向けてケース本体の上部前縁に開口したエアカーテン吹出口の内部にその長手方向に沿って吹出口を内外に区分する仕切板を敷設し、かつ該仕切板を境にその外側にハニカム整流体を組み込み、仕切板の内側には内箱の天井パネル前面壁との間に冷気を高速で吹き出すスリットを形成するとともに、仕切板の上端側に、冷気循環ダクトを通じてエアカーテン吹出口に流入する冷気流をハニカム整流体とスリットに配分するように冷気循環ダクト内に突き出す風向ガイドを設ける（請求項１）。
【０００７】
かかる構成により、仕切板を仕切り部材としてエアカーテン吹出口の内部の内側にスリットが画成される。そして、ショーケースの保冷運転時には、冷気循環ダクトを通風する冷気流の一部がスリットを通じて吹き出し、残りはハニカム整流体を通じてケース本体の前面開口部に吹出す。この場合に、スリットはハニカム整流体に較べて通風抵抗が小さいことから、エアカーテン吹出口の風速分布は内側領域が高速，外側領域が低速となる。これにより、庫内／庫外の圧力差に起因するドラフト効果の影響を受けてエアカーテンが庫内側に大きく引き込まれて層流が乱されることがなく、その結果、外気熱の侵入が少ないエアカーテンが形成されることになる。また、仕切板の上端側に設けた風向ガイドを介してエアカーテン吹出口に向かう循環冷気流をハニカム整流体とスリットに配分するようにしたことで、スリット，ハニカム整流体からの冷気吹出し風量，風速の比率を最適に調整することができる。
【０００８】
また、前記構成によるエアカーテンの性能アップをより一層安定化させるために、この発明によれば、次記のような構成がある。
(1) 仕切板の下端部をスリットの開口端面に向けてＬ字形に折り曲げ形成するとともに、この折り曲げ部の板面にその長手方向に沿って均等に格子状の吹出し穴を開口し、スリットの長手方向に沿った吹出し風速分布の均一化を図る（請求項２）。
【０００９】
(2) 仕切板の先端をハニカム整流体の下端からさらにエアカーテン吹出し方向に延長し、その延長部の壁面を送風助走ガイドとしてハニカム整流体，スリットから吹き出すエアカーテン層の整流性向上を図る（請求項３）。
【００１０】
【発明の実施の形態】
以下、この発明の実施の形態を図１，図２に示す実施例に基づいて説明する。なお、図示実施例は１層エアカーテン方式のオープンショーケースにおけるエアカーテン吹出口の部分を表しており、図中で図３（２層エアカーテン方式のオープンショーケース）に対応する同一部材には同じ符号が付してある。
【００１１】
すなわち、図示の実施例では、ケース本体１の外箱１ａと内箱１ｂとの間に画成した１層分の冷気循環ダクト９に連ねてケース本体１の上部側にはエアカーテン吹出口９ａが開口している。ここで、内箱１ｂの天井パネル前面壁１ｃにコ字形の取付金１０をねじ止めした上で、この取付金１０の前面に板金製の長尺な仕切板１１をねじ止め，もしくは粘着テープで貼り付け固定し、該仕切板１１と内箱１ｂの天井パネル前面壁１ｃとの間に冷気の吹出通風路となるスリット１２を形成する。また、エアカーテン吹出口９ａには前記仕切板１１を境にしてその外側にハニカム整流体７を組み込む。
【００１２】
ここで、前記の仕切板１１はその下端がハニカム整流体７からさらに下方に突き出すように延長した寸法に設定し、その延長部の壁面を送風ガイドとしてハニカム整流体７，スリット１２から吹き出すエアカーテン層の整流性を高めるようにしている。
また、仕切板１１の先端部分をスリット１２の開口面に向けてＬ字状に折り曲げ加工した上で、この折り曲げ部分１１ａにはその長手方向（ショーケースの間口方向）に沿い等ピッチに並ぶ格子状の吹出し穴１１ｂを開口し、スリット１２を通じて吹き出すエアカーテン層の長手方向に沿った風速分布が均一化されるようにしている。
【００１３】
さらに、仕切板１１の上端部には冷気循環ダクト９の上流側に向けて“く”状に突き出した風向ガイド１３を備えている。なお、この風向ガイド１３は、図示例のように別部品として仕切板１１に取付けるほか、仕切板自身の上端部を“く”状に屈曲して形成することもできる。この風向ガイド１３は、冷気循環ダクト９を通じてエアカーテン吹出口９ａに組み込んだハニカム整流体７，および前記スリット１２に向かう冷気流の風量，風速を配分する役目を果たすものであり、冷気循環ダクト内への突き出し長さ，傾斜角度を変えることにより、ショーケースの保冷運転時にスリット１２，ハニカム整流体７を通じてケース本体１の前面開口部に吹き出すエアカーテン層の風量，風速の比率が変化する。
【００１４】
そこで、前記構造を実際に採用するに当たっては、あらかじめ風向ガイド１３の突き出し寸法，傾斜角度を様々に変えた条件でショーケースの性能試験を行い、その試験結果を基にスリット１２，ハニカム整流体７を通じてケース本体１の前面開口部に吹き出すエアカーテン層の風量，風速比率が最適となるように寸法を決定するものとする。
【００１５】
【発明の効果】
以上述べたように、この発明によれば、同一出願人より先に提案したエアカーテン吹出口の構造（特開平８−３２０１７６号）を基本に、そのエアカーテン吹出口に組み込んだハニカム整流体，スリットを通じて吹き出す冷気エアカーテンの風量，風速の最適化、並びに長手方向に沿った風速分布の均一化，および整流性の向上が達成でき、これによりケース本体の開口部を通じて庫内に侵入する外気熱を効果的に抑制してオープンショーケースの保冷性能向上が図れる。
【図面の簡単な説明】
【図１】この発明の実施例によるオープンショーケースのエアカーテン吹出口の構成断面図
【図２】図１の構造説明図であり、(a) はスリット部の組立構造の分解斜視図、(b) は仕切板の下端部の斜視図
【図３】従来における多段形オープンショーケースの全体構成を表す断面側視図
【符号の説明】
１    ケース本体
１ａ  外箱
１ｂ  内箱
１ｃ  内箱の天井パネル前面壁
７    ハニカム整流体
９    冷気循環ダクト
９ａ  エアカーテン吹出口
１１    仕切板
１１ａ  先端折り曲げ部
１１ｂ  格子状の吹出し穴
１２    スリット
１３    風向ガイド
【図１】
0003837908.tif 000002
【図２】
0003837908.tif 000003
【図３】
0003837908.tif 000004